(57)【要約】      （修正有）【課題】カバー部材を本体に容易に装着でき、かつ高い防水性を実現する電子機器およびそれに用いるカバー部材を提供すること。【解決手段】被収納物を収納するための収納部を開口して備えるケース部材２と、ケース部材の開口部を覆うように着脱可能なカバー部材１０と、を有し、ケース部材およびカバー部材の内の一方の部材は、他方の部材へ突出するリブ１２を備え、他方の部材は、収納部の外周囲に、閉ループ状の弾性部材６を備え、弾性部材は、閉ループの内外方向に設けられる２つの壁部７および２つの壁部を繋ぎ壁部の先端部側に凸状に形成されると共に、先端部よりも一方の部材側へ突出するアーチ部８を有する電子機器１とする。【選択図】図６
2012253257.tif 000002
【特許請求の範囲】
【請求項１】
被収納物を収納するための収納部を開口して備えるケース部材と、
上記ケース部材の開口部を覆うように着脱可能なカバー部材と、
を有し、
上記ケース部材および上記カバー部材の内の一方の部材は、他方の部材へ突出するリブを備え、
上記他方の部材は、上記収納部の外周囲に、閉ループ状の弾性部材を備え、
上記弾性部材は、上記閉ループの内外方向に設けられる２つの壁部、および当該２つの壁部を繋ぎ当該壁部の先端部側に凸状に形成されると共に、当該先端部よりも上記一方の部材側へ突出するアーチ部を有することを特徴とする電子機器。
【請求項２】
請求項１に記載の電子機器であって、
前記壁部同士の間隙を前記リブの幅と同等またはそれよりも小さいことを特徴とする電子機器。
【請求項３】
請求項１または請求項２に記載の電子機器であって、
前記２つの壁部の内、前記ケース部材または前記カバー部材の面内内側の前記壁部は、前記２つの壁部と前記アーチ部とから形成される空間からの脱気または当該空間への吸気を可能とする脱気口を備えることを特徴とする電子機器。
【請求項４】
請求項１から請求項３のいずれか１項に記載の電子機器であって、
前記壁部の先端から前記アーチ部の先端までの突出距離は、前記アーチ部の凹面側の深さの２倍よりも小さいことを特徴とする電子機器。
【請求項５】
被収納物を収納するための収納部を開口して備える電子機器のケース部材に対して、上記収納部の開口部を覆うように着脱可能に備えるカバー部材であって、
上記収納部の外周囲に形成されるリブと対向する位置に、閉ループ状の弾性部材を備え、
上記弾性部材は、上記閉ループの内外方向に間隙を設けて２つの壁部を備え、
当該２つの壁部を繋ぎ当該壁部の先端部側に凸状に形成されると共に、当該先端部よりも上記ケース部材側へ突出するアーチ部を備えることを特徴とするカバー部材。
【請求項６】
請求項５に記載のカバー部材であって、
前記壁部同士の間隙は、前記リブの幅と同等またはそれよりも小さいことを特徴とするカバー部材。
【請求項７】
請求項５または請求項６に記載のカバー部材であって、
前記２つの壁部の内、前記カバー部材の面内内側の前記壁部は、
前記２つの壁部と前記アーチ部とから形成される空間からの脱気または当該空間の吸気を可能とする脱気口を備えることを特徴とするカバー部材。
【請求項８】
請求項５から請求項７のいずれか１項に記載のカバー部材であって、
前記壁部の先端からの前記アーチ部の先端の突出距離は、前記アーチ部の凹面側の深さの２倍よりも小さいことを特徴とするカバー部材。
【発明の詳細な説明】
【技術分野】
【０００１】
本発明は、電子機器およびそれに用いるカバー部材に関する。
【背景技術】
【０００２】
近年、携帯電話等の電子機器において、防水機能等が求められる場合がある。電子機器に防水機能を付与するには、少なくとも、本体に被収納物を収納するための収納部を覆うカバー部材と収納部との隙間から水が入りこまないようにする必要がある。たとえば、電池収納部へ水が入り込まないようにするために、電池収納部を覆うカバー部材に弾性体を有する環状の突起部を備え、電池収納部の外周にその弾性体が圧入される溝を備える構造が知られている（例えば、特許文献１を参照）。
【先行技術文献】
【特許文献】
【０００３】
【特許文献１】特開２００８−２８８１７４
【発明の概要】
【発明が解決しようとする課題】
【０００４】
特許文献１に開示される構造によれば、弾性体を有する突起部が溝に挿入されることで、弾性体と溝の内側とが密着し、外部から収納部への水の浸入を防ぐことができる。しかし、突起部を被覆する弾性体は、溝を形成する樹脂表面に対して難滑性を呈し、溝に挿入し難いという問題がある。特に、カバー部材の突起部と溝との間の寸法誤差が大きい場合には、弾性体を溝内に挿入することが、さらに困難になる。突起部が溝に不完全に挿入された状態は、防水性能の低下を招くので好ましくない。
【０００５】
本発明は、かかる問題を解消すべくなされたものであって、カバー部材を本体に容易に装着でき、かつ高い防水性を実現することのできる電子機器およびそれに用いるカバー部材を提供することを目的とする。
【課題を解決するための手段】
【０００６】
上記目的を達成するため、本発明の一実施の形態は、被収納物を収納するための収納部を開口して備えるケース部材と、ケース部材の開口部を覆うように着脱可能なカバー部材と、を有し、ケース部材およびカバー部材の内の一方の部材は、他方の部材へ突出するリブを備え、他方の部材は、収納部の外周囲に、閉ループ状の弾性部材を備え、弾性部材は、閉ループの内外方向に設けられる２つの壁部、および２つの壁部を繋ぎ壁部の先端部側に凸状に形成されると共に、先端部よりも一方の部材側へ突出するアーチ部を有する電子機器としている。
【０００７】
また、壁部同士の間隙をリブの幅と同等またはそれよりも小さいのが好ましい場合もある。
【０００８】
また、２つの壁部の内、ケース部材またはカバー部材の面内内側の壁部は、２つの壁部とアーチ部とから形成される空間からの脱気または空間への吸気を可能とする脱気口を備えるのが好ましい場合もある。
【０００９】
また、壁部の先端からのアーチ部の先端の突出距離は、アーチ部の凹面側の深さの２倍よりも小さいのが好ましい。
【００１０】
本発明の別の一実施の形態は、被収納物を収納するための収納部を開口して備える電子機器のケース部材に対して、収納部の開口部を覆うように着脱可能に備えるカバー部材であって、収納部の外周囲に形成されるリブと対向する位置に、閉ループ状の弾性部材を備え、弾性部材は、閉ループの内外方向に間隙を設けて２つの壁部を備え、２つの壁部を繋ぎ壁部の先端部側に凸状に形成されると共に、先端部よりもケース部材側へ突出するアーチ部を備えるカバー部材としている。
【００１１】
また、壁部同士の間隙は、リブの幅と同等またはそれよりも小さいのが好ましい場合もある。
【００１２】
また、前記２つの壁部の内、カバー部材の面内内側の壁部は、２つの壁部とアーチ部とから形成される空間からの脱気または空間の吸気を可能とする脱気口を備えるのが好ましい場合もある。
【００１３】
また、壁部の先端からのアーチ部の先端の突出距離は、アーチ部の凹面側の深さの２倍よりも小さいのが好ましい場合もある。
【発明の効果】
【００１４】
本発明によれば、カバー部材を本体に容易に装着でき、かつ高い防水性を実現することができる。
【図面の簡単な説明】
【００１５】
【図１】本発明の実施の形態に係る電子機器の一例である携帯電話機を、その操作面側から見た斜視図である。
【図２】図１に示す携帯電話機を、その背面側から見た分解斜視図である。
【図３】図２に示すカバー部材を、被収納物に対向する面側から見た斜視図である。
【図４】図１に示す携帯電話機を、ケース部材と、カバー部材とに分離して示すＡ−Ａ線断面図である。
【図５】図１に示す携帯電話機のＡ−Ａ線断面図である。
【図６】図４のＢで示す部分について、リブの押し込み量と弾性部材との状態を拡大して示す拡大断面図である。
【図７】本発明の変形例１に係る携帯電話機について、図４に示すＢと同様の領域の一部を示す拡大断面図である。
【図８】本発明の変形例２に係る携帯電話機について、図４に示すＢと同様の領域の一部を示す拡大断面図である。
【図９】本発明の変形例３に係る携帯電話機について、図５と同様の領域を示す断面図である。
【図１０】本発明の変形例４に係る携帯電話機について、図５と同様の領域を示す断面図である。
【図１１】本発明の変形例５に係る携帯電話機について、図４のＢと同様の領域を示す拡大断面図である。
【発明を実施するための形態】
【００１６】
次に、本発明の電子機器およびそれに用いるカバー部材の各実施の形態について、図面を参照しながら説明する。なお、以下、電子機器の実施の形態を説明する中で、カバー部材の実施の形態についても説明する。
【００１７】
図１は、本発明の実施の形態に係る電子機器の一例である携帯電話機１を、その操作面側から見た斜視図である。
【００１８】
本発明の実施の形態に係る電子機器の一例である携帯電話機１は、薄い略直方体形状を有する。また、携帯電話機１は、ケース部材２側に表示部等を露出し、ケース部材２の操作面と逆側（以後、「背面側」という。）に、カバー部材１０を着脱可能に備える。ケース部材２およびカバー部材１０は、共に、携帯電話機１の筺体の一部を構成することから、同じ部材から構成されるのが好ましい。なお、以後の説明において、操作面から背面への方向を高さ方向という。
【００１９】
図２は、図１に示す携帯電話機１を、その背面側から見た分解斜視図である。図３は、図２に示すカバー部材１０を、被収納物１ａに対向する面側から見た斜視図である。図４は、図１に示す携帯電話機１を、ケース部材２と、カバー部材１０とに分離して示すＡ−Ａ線断面図である。図５は、図１に示す携帯電話機１のＡ−Ａ線断面図である。なお、図４およびそれ以後の断面図では、見易さを考慮して、各部材の厚さの比率を実際の比率と変えて図示している。また、被収納物１ａは、薄い略直方体の形態として図示している。
【００２０】
ケース部材２は、被収納物１ａを収納する収納部３を開口して備える。被収納物１ａは、本実施の形態において、薄い略直方体である。被収納物１ａとしては、たとえば、携帯電話機１の制御部、記憶部、電池、メモリーディスクあるいはＰＣＢ等が挙げられる。なお、被収納物１ａは、収納部３から脱落しないように固定されてもよいし、収納部３とカバー部材１０とに挟まれることにより保持されてもよい。
【００２１】
ケース部材２は、その外周に側壁４を有している。側壁４は、その内周面に、内周側に突出する係止爪４ａを有している。また、ケース部材２は、側壁４の内側と収納部３との間にある平坦部５に、弾性部材６を有する。弾性部材６は、収納部３の外周囲に設けられる閉ループ状の部材である。弾性部材６は、接着剤等により、平坦部５に固着される。平坦部５は、弾性部材６を固着する位置の位置決めを容易にするために、弾性部材６を固着する位置に突起あるいは印（不図示）を有してもよい。
【００２２】
弾性部材６は、壁部として、内周側の第１の壁部７ａと、第１の壁部７ａの外側を囲むように配置される第２の壁部７ｂと、を有する。第１の壁部７ａと第２の壁部７ｂとは、内外方向の幅Ｗ１にて離間している。第１の壁部７ａおよび第２の壁部７ｂ（以後、第１の壁部７ａと第２の壁部７ｂとの両方を指す場合には、「壁部７」という。）は、閉ループ状に形成されている。第１の壁部７ａと第２の壁部７ｂとは、互いに対向する側に設けられたアーチ部８により連結されている。弾性部材６は、接着剤等により、平坦部５に固着される。なお、弾性部材６は、接着剤による接着以外の方法により平坦部５に固着されてもよい。たとえば、弾性部材６は、インサート成型あるいは２色成型により、平坦部５に設けられてもよい。
【００２３】
アーチ部８は、壁部７の高さ方向における中腹部にて接続されている。アーチ部８は、壁部７の先端側に向かってアーチ部８の長さ方向略中央を突出させてカーブする形状である。アーチ部８は、その突出した稜線部分に、押子９を有する。押子９の稜線は、壁部７の先端部よりもカバー部材１０側に突出している。アーチ部８は、壁部７から押子９を曲面にて支持している。
【００２４】
壁部７の幅方向の厚さおよびアーチ部８の高さ方向の厚さは、たとえば、０．２ｍｍ以上、より好ましくは、０．５ｍｍ以上である。壁部７の幅方向の厚さおよびアーチ部８の高さ方向の厚さが０．２ｍｍ以上の場合、一般的な成形法により壁部７およびアーチ部８を成形しやすく、かつ壁部７およびアーチ部８の形状を保持可能である。なお、壁部７の幅方向の厚さは、アーチ部８の高さ方向の厚さよりも大きいのが好ましい。アーチ部８を変形しやすくする一方、壁部７にある程度高い剛性を付与することにより、壁部７と後述するリブ１２との間の封止力が向上する。
【００２５】
壁部７およびアーチ部８は、柔軟性に富む弾性体にて主に形成される。たとえば、ＪＩＳ−Ａ硬度が９０度以下、より好ましくは６０度以下である。かかる場合には、後述するリブ１２は、アーチ部８を押し下げやすい。また、壁部７の形状を保持するために、そのＪＩＳ−Ａ硬度は、１０度以上、より好ましくは３０度以上であるのが好ましい。
【００２６】
また、壁部７およびアーチ部８は、カバー部材１０の着脱動作を繰り返す場合に、後述するリブ１２により変形と開放とを繰り返すため、その形状をある程度保持可能な材料から構成されるのが好ましい。たとえば、ＪＩＳ  Ｋ  ６２６２に準拠した測定法より測定された圧縮永久歪（ＣＳ）が５０％以下、好ましくは２０％以下であることが好ましい。ＣＳを５０％以下とする場合、第１の壁部７ａおよび第２の壁部７ｂは、数回の変形により、元の形状に復元しやすいことから、その寸法精度を維持できるため、十分な防水性能が発揮できる。
【００２７】
壁部７およびアーチ部８を構成する材料としては、例えば、ポリエステル系、ポリウレタン系あるいはポリオレフィン系等の熱可塑性エラストマー、または、天然ゴム、イソプレンゴム、ブタジエンゴム、クロロプレンゴム、アクリロニトリル‐ブタジエンゴム（ＮＢＲ）、ブチルゴム、エチレンプロピレンジエンゴム（ＥＰＤＭ）、アクリルゴム、シリコーンゴムあるいはフッ素ゴム等の熱硬化性エラストマーを好適に用いることができる。その中でも、シール材として必要な特性、たとえば、耐熱性、耐寒性、耐候性、耐薬品性および圧縮永久歪等に優れ、比較的安価なシリコーンゴムを特に好適に用いることができる。
【００２８】
ケース部材２およびカバー部材１０は、たとえば、薄いトレイ形状の成型体である。ケース部材２およびカバー部材１０は、成形性および加工性等の理由から、ＡＢＳ樹脂、ポリカーボネート樹脂、ポリアミド樹脂あるいはＰＢＴ樹脂等の熱可塑性樹脂、または、それらのアロイ等から好適に構成される。さらに、それらの樹脂にガラスファイバー等を混合してもよい。カバー部材１０は、収納部３に収納された被収納物１ａを覆うように、ケース部材２に装着される。ケース部材２およびカバー部材１０は、カバー部材１０がケース部材２に装着された際に、それらの両側面が面一になるように構成されている。
【００２９】
図３に示すように、カバー部材１０は、ケース部材２に装着した場合に、ケース部材２側へ突出するリブ１２を有する。リブ１２は、カバー部材１０をケース部材２に取り付けた際に、第１の壁部７ａと第２の壁部７ｂとの間隙に対向する位置に設けられている。また、カバー部材１０は、リブ１２の外周を取り囲む外壁１３を有する。外壁１３は、リブ１２と離間して設けられている。さらに、カバー部材１０は、外壁１３の外周に、外壁１３より低い段差をもって略水平な外周面１４を有する。外壁１３の外周側の面は、その外周を取り囲むように、外周側に突出する係止用突起１５を有している。
【００３０】
カバー部材１０をケース部材２に取り付けると、ケース部材２およびカバー部材１０は、カバー部材１０の係止用突起１５がケース部材２の係止爪４ａに引っ掛かることにより係止される。また、カバー部材１０をケース部材２に取り付けると、リブ１２は、第１の壁部７ａと第２の壁部７ｂとの間隙に挿入される。
【００３１】
リブ１２は、高さがＨおよび幅がＷ２の閉ループ状にて、カバー部材１０に設けられている。リブ１２は、断面が略直方体であって、その先端側および根元側の両幅とも、強度や成形性を考慮して、０．２ｍｍ以上であるのが好ましい。リブ１２は、アーチ部８を押し込んで、壁部７を互いに近づく方向に変形させるのに十分な高さを必要するため、壁部７の端部から押子９の突出高さ（図４のαで示す距離）は、アーチ部８の凹面側の深さ（図４のβで示す距離）の２倍よりも小さいのが好ましく、アーチ部８の凹面側の深さ（β）と等しいのがさらに好ましい。リブ１２の好適な高さＨは、０．５ｍｍ以上、より好ましくは１．０ｍｍ以上である。なお、リブ１２は、カバー部材１０と別体に固定されても、あるいは一体的に形成されてもよい。さらに、リブ１２の先端部は、平面あるいは曲面であるのがより好ましい。
【００３２】
図６の（Ａ）〜（Ｃ）は、図４のＢで示す部分について、リブ１２の押し込み量と弾性部材６との状態を拡大して示す拡大断面図である。
【００３３】
図６の（Ａ）に示すように、第１の壁部７ａと第２の壁部７ｂとの間隙Ｗ１は、これと対向するリブ１２の幅Ｗ２よりも小さい。押子９は、壁部７の先端部よりもリブ１２に向かって突出している。このため、カバー部材１０をケース部材２に取り付ける際、リブ１２は、まず、押子９に接触し、押子９を平坦部５側に押し込む。
【００３４】
図６の（Ｂ）に示すように、リブ１２が押子９を平坦部５側に押し込むと、アーチ部８が平坦に変形し、図６の（Ｂ）の矢印で示すように、壁部７を幅方向外側に広げるような力が壁部７に加えられる。壁部７を広げる力により、第１の壁部７ａと第２の壁部７ｂとの間隙は、広げられてＷ１からＷ３になる。Ｗ３は、リブ１２の幅Ｗ２よりも大きいため、リブ１２は、第１の壁部７ａと第２の壁部７ｂとにほとんど接触せず、その隙間に挿入できる。
【００３５】
図６の（Ｃ）に示すように、リブ１２の先端が、第１の壁部７ａと第２の壁部７ｂとの間隙に入り、アーチ部８の押子９を押し込み続けていくと、アーチ部８は、平坦部５側に突出する形状に反転する。このとき、壁部７の開口側先端は、アーチ部８に引っ張られ、図６の（Ｃ）の矢印で示すように、リブ１２を挟み込む方向に変形する。この結果、壁部７の開口側先端は、リブ１２の側面に密着する。したがって、カバー部材１０をケース部材２に取り付け、リブ１２が壁部７の開口側先端に挟まれた状態において、外部から浸入した水は、収納部３に浸入しにくくなる。
【００３６】
上述のような携帯電話機１においては、カバー部材１０をケース部材２に取り付けると、リブ１２が押子９を押し込むことにより、初期段階にて第１の壁部７ａと第２の壁部７ｂとの間隙Ｗ１をリブ１２が容易に挿入できる幅まで広げることができる。さらにリブ１２の挿入が進むと、リブ１２は、アーチ部８を押し下げることにより、壁部７の開口側は、リブ１２を挟み込む方向に変形してリブ１２に密着する。その結果、アーチ部８とリブ１２との間および、壁部７とリブ１２との間により、外部からの異物（水等）が収納部３の内部に入らないように、効果的に封止できる。したがって、上述のような携帯電話機１においては、カバー部材１０をケース部材２に容易に装着できることに加え、かつ、高い防水性を実現できる。
【００３７】
また、上述のように、リブ１２がアーチ部８を押し始めてからアーチ部８が反転するまでの間、第１の壁部７ａと第２の壁部７ｂとの間隙は、リブ１２をスムーズに挿入可能であることから、弾性部材６に滑り性を向上させるための被覆層を設けることなく容易にリブ１２を挿入できる。この結果、生産性の向上に加えて、製造コストの低減も可能である。ただし、壁部７は、耐異物付着性、滑り性および撥水性の少なくともいずれか１つを向上させる等のために、その表面に壁部７とは別の部材による被覆層を設けてもよい。その被覆層は、たとえば、フッ素含有樹脂により形成されていてもよい。
【００３８】
以上、本発明の電子機器およびそれに用いるカバー部材の好適な実施の形態を説明してきたが、本発明は、上述の実施の形態に限定されず、種々の変形を施して実施することができる。
【００３９】
例えば、上述の実施の形態では、電子機器として携帯電話機１を例示したが、携帯電話機１以外の電子機器にも応用可能であって、例えば、ＰＤＡ、固定電話機、ホームオーディオ機器、車載用オーディオ機器、カーナビゲーション機器、バッテリーを搭載する電気自動車等の機器にも応用できる。また、上述の実施の形態では、収納部３への水の浸入を防止する構造を例示したが、上述の構造では、水以外の液体や埃等の、他の異物を防止することができる。
【００４０】
また、上述の実施の形態では、収納部３は、背面側から見て、角が曲面の直方体としたが、このような形態に限らない。収納部３およびカバー部材１０等の形状は、被収納物１ａの形状により円形、あるいはその他の多角形等の形状であってもよい。
【００４１】
また、上述の実施の形態では、リブ１２は、先端側の幅も根元側の幅も略同一であるがこのような形態に限らない。リブ１２は、その先端側に凸部を有していてもよい。また、リブ１２の先端の幅は、根元側の幅よりも狭くてもよい。この場合、第1の壁部７ａと第２の壁部７ｂとの間隙は、リブ１２の先端の幅より広くてもよく、リブ１２がアーチ部８を反転する深さに至った際に、リブ１２のＷ１より広い箇所が第１の壁部７ａと第２の壁部７ｂとの間に挟まれるようにすればよい。
【００４２】
また、上述の実施の形態では、ケース部材２が係止用爪４ａを有し、カバー部材１０が係止用突起１５を有する形態としているが、このような形態に限らない。係止用突起１５と係止爪４ａとの引掛構造以外の構造により、カバー部材１０とケース部材２とが固定されてもよい。たとえば、ケース部材２にカバー部材１０をネジ止めしてもよい。
【００４３】
（変形例１）
図７は、本発明の変形例１に係る携帯電話機２０について、図４に示すＢと同様の領域の一部を示す拡大断面図である。なお、以下の変形例においては、携帯電話機１と同じ構成要素については、同じ符号を用いて説明する。
【００４４】
上述の実施の形態では、アーチ部８は、壁部７から押子９を曲面にて支持するもののとしたが、そのような形態に限らない。たとえば、図７に示すように、弾性部材２１に備えるアーチ部２２は、壁部７から押子９を略平面状の斜面により支持してもよい。この場合、リブ１２の挿入により、アーチ部２２を反転させた後、リブ１２を壁部７から抜く際に、アーチ部２２が元の状態に戻るように、アーチ部２２の斜面の角度等を設計するのが好ましい。アーチ部２２が反転した後、容易に元に戻るようにする方が望ましいからである。
【００４５】
（変形例２）
図８は、本発明の変形例２に係る携帯電話機３０について、図４に示すＢと同様の領域の一部を示す拡大断面図である。
【００４６】
上述の実施の形態においては、壁部７は、平坦部５と固着しているものとしたが、そのような形態に限らない。たとえば、図８に示すように、第１の壁部７ａは、平坦部５との間に脱気口３１を有してもよい。リブ１２によりアーチ部８の幅方向略中央が押し下げられた場合に、壁部７、アーチ部６および平坦部５により囲まれた空間にある空気を脱気口３１からスムーズに排出できる。逆に、リブ１２を壁部７から引き抜くと、脱気口３１から当該空間に空気が流入する。このように、壁部７、アーチ部８および平坦部５により囲まれた空間が閉空間とならないので、リブ１２を挿脱する際の挿入抵抗が小さい。なお、脱気口３１は、壁部７と平坦部５との間の一部を非接着状態とすることで設けられてもよいし、壁部７のうち、平坦部５とアーチ部８との間の領域に、壁部７を貫通する孔を設けることにより形成してもよい。なお、この変形例では、脱気口３１は、高さ方向および長さ方向が、０．２ｍｍ以上、より好ましくは０．５ｍｍ以上にて設けられている。高さ方向が０．５ｍｍ以上の場合、リブ１２により壁部７が高さ方向に圧縮された場合であっても、脱気口３１は、開口した状態を保持できる。
【００４７】
（変形例３）
図９は、本発明の変形例３に係る携帯電話機４０について、図５と同様の領域を示す断面図である。
【００４８】
上述の実施の形態では、弾性部材６は、閉ループ状に形成されているが、このような形態に限らない。たとえば、弾性部材６は、収納部３の凹部内側の面までを覆うシート４１に、壁部７を形成してもよい。弾性部材６が収納部３の内面からその外周囲を覆うようなシート部分を有する場合には、弾性部材６が部分的にケース部材２から剥離した場合にも、防水構造を維持できる。
【００４９】
（変形例４）
図１０は、本発明の変形例４に係る携帯電話機５０について、図５と同様の領域を示す断面図である。
【００５０】
上述の実施の形態および変形例は、ケース部材２が弾性部材６，２１を有し、カバー部材１０がリブ１２を有する形態としたが、このような形態に限らない。たとえば、ケース部材２にリブ１２を備え、カバー部材１０に弾性部材６，２１を備えてもよい。具体的には、図１０に示すように、電子機器５０は、被収納物１ａを収納するための収納部３を開口して備えるケース部材２と、ケース部材２の開口部を覆うように着脱可能なカバー部材１０と、を有する。カバー部材１０がケース部材２に装着された状態において、ケース部材２は、カバー部材１０へ突出するリブ１２を備える。カバー部材１０は、収納部３の外周囲に相当する位置に、閉ループ状の弾性部材６を備える。また、弾性部材６は、閉ループの内外方向に設けられる２つの壁部７ａ，７ｂ、およびその２つの壁部７ａ，７ｂを繋ぎ壁部７ａ，７ｂの先端部側に凸状に形成されると共に、その先端部よりもケース部材２側へ突出するアーチ部８を有する。また、その場合において、壁部７ａ，７ｂ同士の間隙をリブ１２の幅と同等またはそれよりも小さくするのが好ましい。さらに、２つの壁部７ａ，７ｂの内、カバー部材１０の面内内側の壁部７ａは、２つの壁部７ａ，７ｂとアーチ部８とから形成される空間からの脱気または当該空間への吸気を可能とする脱気口３１を備えても良い。また、壁部７ａ，７ｂの先端からアーチ部８の先端までの突出距離（α）をアーチ部８の凹面側の深さ（β）の２倍よりも小さくし、特にβと等しくするのがより好ましい。
【００５１】
（変形例５）
図１１は、本発明の変形例５に係る携帯電話機６０について、図４のＢと同様の領域を示す拡大断面図である。
【００５２】
図１１に示すように、押子９が、その側面に凹部６１を有し、リブ１２の押子９が対向する位置に、溝６２を有し、溝６２の側面に、凹部６１に嵌合可能な凸部６３を設けてもよい。かかる場合には、カバー部材１０がケース部材２に装着された際に、押子９が溝６２に挿入されて、凹部６１に凸部６３が嵌合される。したがって、カバー部材１０をケース部材２から外すと、押子９が溝６２から抜けにくいため、カバー部材１０側に引っ張られる。したがって、カバー部材１０をケース部材２から外すことにより、アーチ部８が平坦部５側に突出した状態から、壁部７ａ，７ｂの先端側に突出した状態へと確実に復帰できる。
【００５３】
また、上述の実施の形態および変形例は、互いにそれぞれの特徴を１以上組み合わせても良い。たとえば、変形例１と変形例２とを組み合わせ、弾性部材２１は、壁部７から押子９を略平面にて支持しているアーチ部２２を有すると共に、脱気口３１を備えるようにしてもよい。
【産業上の利用可能性】
【００５４】
本発明は、被収納物の取り外しが可能な電子機器に用いることができる。
【符号の説明】
【００５５】
１，２０，３０，４０，５０，６０  携帯電話機（電子機器の一例）
１ａ        被収納物
２          ケース部材
３          収納部
６，２１    弾性部材
７          壁部
７ａ        第１の壁部（壁部）
７ｂ        第２の壁部（壁部）
８，２２    アーチ部
９          押子
１０        カバー部材
１２        リブ
３１        脱気口
Ｗ１        壁部同士の間隙
Ｗ２        リブの幅
α          押子の突出高さ（アーチ部の先端の突出距離）
β          アーチ部の凹面側の深さ
【図１】
2012253257.tif 000003
【図２】
2012253257.tif 000004
【図３】
2012253257.tif 000005
【図４】
2012253257.tif 000006
【図５】
2012253257.tif 000007
【図６】
2012253257.tif 000008
【図７】
2012253257.tif 000009
【図８】
2012253257.tif 000010
【図９】
2012253257.tif 000011
【図１０】
2012253257.tif 000012
【図１１】
2012253257.tif 000013